(57)【要約】【課題】発電効率を向上し得る燃料電池発電装置を提供する。【解決手段】空気供給手段５により装置外部の空気が供給されて発電する燃料電池発電部１が設けられた燃料電池発電装置であって、空気供給手段５により燃料電池発電部１に供給される空気を冷却する冷却部Ｃが設けられている。又、冷却部Ｃが、地中を冷却源として空気を冷却するように構成されている。【選択図】        図２
2005025987.tif 000002
【特許請求の範囲】
【請求項１】
空気供給手段により装置外部の空気が供給されて発電する燃料電池発電部が設けられた燃料電池発電装置であって、
前記空気供給手段により前記燃料電池発電部に供給される空気を冷却する冷却部が設けられている燃料電池発電装置。
【請求項２】
前記冷却部が、建物におけるその外部よりも温度の低い低温域を冷却源として空気を冷却するように構成されている請求項１記載の燃料電池発電装置。
【請求項３】
前記冷却部が、地中を冷却源として空気を冷却するように構成されている請求項１記載の燃料電池発電装置。
【請求項４】
前記冷却部が、水を冷却源として空気を冷却するように構成されている請求項１記載の燃料電池発電装置。
【請求項５】
供給される原料水を気化して水蒸気を生成する水蒸気生成器と、
供給される炭化水素系の原燃料と前記水蒸気生成器にて生成される水蒸気とを改質反応させて、前記燃料電池発電部に供給する燃料ガスを生成する改質器とが設けられ、
前記冷却部が、前記水蒸気生成器に供給される原料水を冷却源として空気を冷却するように構成されている請求項４記載の燃料電池発電装置。
【請求項６】
空気を前記冷却部により冷却して前記燃料電池発電部に供給する冷却通流経路と、空気を前記冷却部により冷却せずに前記燃料電池発電部に供給する非冷却通流経路とに、空気の通流経路を切り換え自在な空気供給状態切換手段が設けられている請求項１〜５のいずれか１項に記載の燃料電池発電装置。
【請求項７】
空気供給手段により装置外部の空気が供給されて発電する燃料電池発電部が設けられた燃料電池発電装置であって、
前記空気供給手段が、装置外周部の雰囲気よりも温度が低い低温域の空気を前記燃料電池発電部に供給するように構成されている燃料電池発電部。
【請求項８】
前記低温域が、建物の床下である請求項７記載の燃料電池発電装置。
【発明の詳細な説明】
【０００１】
【発明の属する技術分野】
本発明は、空気供給手段により装置外部の空気が供給されて発電する燃料電池発電部が設けられた燃料電池発電装置に関する。
【０００２】
【従来の技術】
かかる燃料電池発電装置は、一般家庭や工場等の建物に対して設置されて、発電電力を設置対象の建物に供給するものであり、一般には、建物の外部に設置されることになる。
このような燃料電池発電装置においては、前記空気供給手段としての空気ポンプにより、装置外部の空気をそのまま吸込ダクトを通じて吸込んで前記燃料電池発電部に供給するように構成されることになる（例えば、特許文献１参照。）。
ちなみに、前記特許文献１には記載されていないが、通常は、建物外部の空気をそのまま前記空気供給手段にて前記燃料電池発電部に供給することになる。
【０００３】
【特許文献１】
特開２０００−２８５９４０号公報
【０００４】
【発明が解決しようとする課題】
しかしながら、従来では、装置外部の空気をそのまま燃料電池発電部に供給することから、気温が高くなる等により、空気供給手段にて取り込む対象となる装置外部の空気の温度が高くなって、その空気の密度が低くなると、発電効率が低下するという問題があった。
説明を加えると、空気供給手段にて取り込む対象となる装置外部の空気の温度が高くなって、その空気の密度が低くなると、空気供給手段にて空気を前記燃料電池発電部に供給する空気供給効率が低下することになる。又、かかる燃料電池発電装置は、燃料電池発電部を構成するセルの酸素極に空気を供給して、その空気中の酸素にて発電反応させて発電するものであるが、空気中の酸素濃度は約２１％と低いため、同体積の空気を供給する条件では、空気の密度が低くなると、酸素極への酸素供給量が減少して発電出力が低下することになる。
従って、空気供給手段にて取り込む対象となる装置外部の空気の温度が高くなって、その空気の密度が低くなると、発電効率が低下することになる。
【０００５】
本発明は、かかる実情に鑑みてなされたものであり、その目的は、発電効率を向上し得る燃料電池発電装置を提供することにある。
【０００６】
【課題を解決するための手段】
〔請求項１記載の発明〕
請求項１に記載の燃料電池発電装置は、空気供給手段により装置外部の空気が供給されて発電する燃料電池発電部が設けられたものであって、
前記空気供給手段により前記燃料電池発電部に供給される空気を冷却する冷却部が設けられている点を特徴構成とする。
即ち、冷却部により装置外部の空気が冷却され、その冷却部にて冷却されて、密度が高くなった装置外部の空気が空気供給手段により燃料電池発電部に供給される。
つまり、装置外部の空気は冷却部にて冷却されることにより密度が高くなるので、そのように密度が高くなった空気を空気供給手段にて燃料電池発電部に供給するようにすることにより、空気供給手段による空気供給効率を向上することが可能になり、又、酸素極に十分に酸素を供給し易くなって発電出力を大きくすることが可能になるので、発電効率を向上することが可能になる。
従って、発電効率を向上し得る燃料電池発電装置を提供することできるようになった。
【０００７】
〔請求項２記載の発明〕
請求項２に記載の燃料電池発電装置は、請求項１において、前記冷却部が、建物におけるその外部よりも温度の低い低温域を冷却源として空気を冷却するように構成されている点を特徴構成とする。
即ち、冷却部により、建物におけるその外部よりも温度の低い低温域を冷却源として、空気供給手段にて燃料電池発電部に供給される空気が冷却される。
つまり、床下や天井等の直射日光が当たらない場所等、建物には、その外部の温度よりも雰囲気温度が低くなる低温域が存在する。そこで、前記冷却部を、雰囲気温度が建物の外部の温度よりも低くなる建物における低温域を冷却減として外気等の装置外部の空気を冷却するように構成することが可能になる。そして、そのように前記低温域を冷却源とすることにより、エネルギーを消費することなく、あるいは、エネルギーを消費するにしても可及的に少なくしながら、空気を冷却するようにすることが可能になる。
従って、発電効率を更に向上することができるようになった。
【０００８】
〔請求項３記載の発明〕
請求項３に記載の燃料電池発電装置は、請求項１において、前記冷却部が、地中を冷却源として空気を冷却するように構成されている点を特徴構成とする。
即ち、冷却部により、地中を冷却源として、空気供給手段にて燃料電池発電部に供給される空気が冷却される。
つまり、地中は、装置外部の空気の温度よりも低くなるときがある。そこで、前記冷却部を、温度が装置外部の温度よりも低くなる地中を冷却源として外気等の装置外部の空気を冷却するように構成することが可能になる。そして、そのように前記地中を冷却源とすることにより、エネルギーを消費することなく、あるいは、エネルギーを消費するにしても可及的に少なくしながら、空気を冷却するようにすることが可能になる。
従って、発電効率を更に向上することができるようになった。
【０００９】
〔請求項４記載の発明〕
請求項４に記載の燃料電池発電装置は、請求項１において、前記冷却部が、水を冷却源として空気を冷却するように構成されている点を特徴構成とする。
即ち、冷却部により、水を冷却源として、空気供給手段にて燃料電池発電部に供給される空気が冷却される。
つまり、前記冷却部を、水道水、地下水、井戸水等、温度が装置外部の空気の温度よりも低い水を冷却源として外気等の装置外部の空気を冷却するように構成することが可能になる。そして、そのように前記水を冷却源とすることにより、エネルギーを消費することなく、あるいは、エネルギーを消費するにしても可及的に少なくしながら、空気を冷却するようにすることが可能になる。
従って、発電効率を更に向上することができるようになった。
【００１０】
〔請求項５記載の発明〕
請求項５に記載の燃料電池発電装置は、請求項４において、供給される原料水を気化して水蒸気を生成する水蒸気生成器と、
供給される炭化水素系の原燃料と前記水蒸気生成器にて生成される水蒸気とを改質反応させて、前記燃料電池発電部に供給する燃料ガスを生成する改質器とが設けられ、
前記冷却部が、前記水蒸気生成器に供給される原料水を冷却源として空気を冷却するように構成されている点を特徴構成とする。
即ち、水蒸気生成器により、供給される原料水が気化されて水蒸気が生成され、改質器により、供給される炭化水素系の原燃料と前記水蒸気生成器にて生成される水蒸気とを改質反応させて燃料ガスが生成され、そのように改質器により生成される燃料ガスが前記燃料電池発電部に供給され、冷却部により、装置外部の空気が前記水蒸気生成器に供給される原料水を冷却源として冷却され、そのように冷却部にて冷却された空気が前記空気供給手段にて前記燃料電池発電部に供給され、その燃料電池発電部において、前記燃料ガス中の水素と前記空気中の酸素との電気化学反応により発電される。
そして、改質反応用の水蒸気を生成するための原料水を、装置外部の空気を冷却するための冷却源とする水として用いるようにすることにより、冷却部の冷却源とする水として、これまで燃料電池発電装置にて用いていた以外の新たな水を用いることなく、燃料電池発電部に供給する空気を冷却することが可能になる。
従って、冷却部の冷却源とする水として、これまで燃料電池発電装置にて用いていた以外の新たな水を用いることなく、本発明を実施することが可能になるので、ランニングコストの上昇を回避しながら、発電効率を更に向上することができるようになった。
【００１１】
〔請求項６記載の発明〕
請求項６に記載の燃料電池発電装置は、請求項１〜５のいずれかにおいて、空気を前記冷却部により冷却して前記燃料電池発電部に供給する冷却通流経路と、空気を前記冷却部により冷却せずに前記燃料電池発電部に供給する非冷却通流経路とに、空気の通流経路を切り換え自在な空気供給状態切換手段が設けられている点を特徴構成とする。
即ち、空気供給状態切換手段により、空気を前記冷却部により冷却して前記燃料電池発電部に供給する冷却通流経路と、空気を前記冷却部により冷却せずに前記燃料電池発電部に供給する非冷却通流経路とに、空気の通流経路が切り換えられる。
つまり、外気等の前記空気供給手段が取り込む対象となる装置外部の取り込み対象空気の温度は、気象条件により変化するものであるので、取り込み対象空気の温度に応じて、例えば、取り込み対象空気の温度が設定温度よりも低いときは、前記空気供給状態切換手段により前記非冷却通流経路に切り換えて、空気を前記冷却部により冷却せずに前記燃料電池発電部に供給し、取り込み対象空気の温度が前記設定温度以上のときは、前記空気供給状態切換手段により前記冷却通流経路に切り換えて、空気を前記冷却部により冷却して前記燃料電池発電部に供給するようにすることにより、燃料電池発電部に供給する空気の冷却用として消費するエネルギー量を少なくしながら、一年を通じて発電効率を向上し得るように運転することが可能になる。
又、床下や天井等の建物における直射日光が当たらない場所、地中、又は、水道水、地下水、井戸水等の水等は、気象条件により、前記空気供給手段の取り込み対象空気よりも温度が低くなるので、上記の請求項２ないし請求項５記載の発明のように、気象条件により前記空気供給手段の取り込み対象空気よりも温度が低くなる場所及び水等を前記冷却部の冷却源とすると、エネルギーを消費することなく、あるいは、エネルギーを消費するにしても可及的に少なくしながら、空気を冷却するようにすることが可能になる。
そこで、気象条件により前記空気供給手段の取り込み対象空気よりも温度が低くなる場所及び水等を前記冷却部の冷却源とする場合に、取り込み対象空気の温度が、前記冷却部の冷却源とする場所及び水等の温度以下のときは、前記空気供給状態切換手段により前記非冷却通流経路に切り換えて、空気を前記冷却部により冷却せずに前記燃料電池発電部に供給し、取り込み対象空気の温度が、前記冷却部の冷却源とする場所及び水等の温度よりも高いときは、前記空気供給状態切換手段により前記冷却通流経路に切り換えて、空気を前記冷却部により冷却して前記燃料電池発電部に供給するようにすることにより、燃料電池発電部に供給する空気の冷却用としてエネルギーを消費しないようにしながら、あるいは、エネルギーを消費するにしても可及的に少なくしながら、一年を通じて発電効率を向上し得るように運転することが可能になる。
従って、一年を通じて発電効率を向上し得るように運転することが可能な燃料電池発電装置を提供することできるようになった。
【００１２】
〔請求項７記載の発明〕
請求項７に記載の燃料電池発電装置は、空気供給手段により装置外部の空気が供給されて発電する燃料電池発電部が設けられたものであって、
前記空気供給手段が、装置外周部の雰囲気よりも温度が低い低温域の空気を前記燃料電池発電部に供給するように構成されている点を特徴構成とする。
即ち、空気供給手段により、装置外周部の雰囲気よりも温度が低くて密度が高い低温域の空気が燃料電池発電部に供給される。
つまり、装置外周部の雰囲気よりも温度が低くて密度が高い低温域の空気を空気供給手段にて燃料電池発電部に供給するようにすることにより、空気供給手段による空気供給効率を向上することが可能になり、又、酸素極に十分に酸素を供給し易くなって発電出力を大きくすることが可能になるので、発電効率を向上することが可能になる。
従って、発電効率を向上し得る燃料電池発電装置を提供することできるようになった。
【００１３】
〔請求項８記載の発明〕
請求項８に記載の燃料電池発電装置は、請求項７において、前記低温域が、建物の床下である点を特徴構成とする。
即ち、空気供給手段により、建物におけるその外部よりも温度の低い前記低温域である床下の空気が燃料電池発電部に供給される。
つまり、床下は、直射日光が当たらないので、建物の外部よりも温度の低い前記低温域になり得る。
そして、空気供給手段を単に床下に対して吸引作用するように設けるというように、空気供給手段の構成を簡略化しながら、装置外周部の雰囲気よりも温度が低くて密度が高い低温域の空気が燃料電池発電部に供給されるようにすることが可能になる。
又、床下の空気を燃料電池発電部に供給するようにすることにより、床下の換気を促進させて、床下を乾燥させることが可能になる。
従って、低廉化を図りながら発電効率を向上し得る燃料電池発電装置を提供することできるようになった。
【００１４】
【発明の実施の形態】
〔第１実施形態〕
以下、図面に基づいて、本発明の第１実施形態を説明する。
図１及び図２に示すように、燃料電池発電装置は、水素を含有する燃料ガス及び空気が供給されて発電する燃料電池発電部１等をケーシング２内に組み付けて構成した本体部Ｍを備えて構成し、本体部Ｍの側面部に設けた出力端子３を通じて電気負荷（図示省略）に交流電力を供給するように構成してある。
【００１５】
図２に示すように、前記ケーシング２内には、前記燃料電池発電部１の他に、供給される炭化水素系の原燃料ガスを改質器バーナ４ｂの加熱により水素を主成分とする改質ガスを生成する改質器４を備えて、前記燃料電池発電部１に供給する燃料ガスを生成する燃料ガス生成部Ｒ、前記燃料電池発電部１に装置外部の空気を発電反応用として供給する空気供給手段としての反応用空気ポンプ５、前記改質器バーナ４ｂに燃焼用空気を供給する燃焼用空気ポンプ６、前記反応用空気ポンプ５にて前記燃料電池発電部１に供給される空気を加湿する加湿器７、前記燃料電池発電部１にて発電される直流電力を交流に変換して前記出力端子３に出力するインバータ８、及び、燃料電池発電装置の各種制御を司る制御部９等を設け、前記ケーシング２の外部に、前記反応用空気ポンプ５により前記燃料電池発電部１に供給される空気を冷却する冷却部Ｃを設けてある。
【００１６】
以下、燃料電池発電装置を構成する各部について説明を加える。
前記燃料電池発電部１は周知であるので、詳細な説明及び図示は省略して、簡単に説明すると、前記燃料電池発電部１は、電解質層としての高分子膜の両側に酸素極と燃料極を振り分けて配置した固体高分子型のセルの複数を積層状態に設けたセルスタックを備えて構成し、並びに、供給される燃料ガスが各セルの燃料極に分配供給され且つ供給される空気が各セルの酸素極に分配供給されるように構成して、各セルにて水素と酸素との電気化学的な反応により発電を行うように構成してある。
【００１７】
前記燃料ガス生成部Ｒは、原燃料供給路１０を通じて供給される都市ガス（例えば、天然ガスベースの都市ガス）等の炭化水素系の原燃料ガスを脱硫処理する脱硫器１１、原料水供給路１２を通じて供給される原料水を蒸発させて水蒸気を生成する水蒸気生成器１３、前記脱硫器１１から供給される脱硫原燃料ガスと前記水蒸気生成器１３から供給される水蒸気とを前記改質器バーナ４ｂの加熱により改質反応させて前記改質ガスを生成する前記改質器４、その改質器４から供給される改質ガス中の一酸化炭素を水蒸気にて二酸化炭素に変成処理する変成器１４、その変成器１４から供給される改質ガス中の一酸化炭素を別途供給される選択酸化用空気にて選択酸化する一酸化炭素除去器１５を備えて構成して、改質ガス中の一酸化炭素を変成処理及び選択酸化処理により低減した一酸化炭素濃度の低い（例えば１０ｐｐｍ以下）改質ガスを生成するように構成してある。
そして、一酸化炭素を変成処理及び選択酸化処理により低減した改質ガスを、前記燃料ガスとして燃料ガス供給路１６を通じて前記燃料電池発電部１に供給するようにしてある。
【００１８】
前記原燃料供給路１０には、前記燃料ガス生成部Ｒへの原燃料ガスの供給量を調節する原燃料供給量調節弁１７を設けてあり、この原燃料供給量調節弁１７により燃料ガス生成部Ｒへの原燃料ガスの供給量を調節することにより、前記燃料電池発電部１に供給する燃料ガスの供給量を調節するように構成してある。
【００１９】
前記改質器バーナ４ｂには、前記セルスタックを構成する各セルの前記燃料極から排出された燃料極側排ガスを導く燃料極側排ガス路１８、及び、前記燃焼用空気ポンプ６からの燃焼用空気を導く燃焼用空気路１９を接続して、前記改質器バーナ４ｂにて燃料極側排ガスを燃焼させて、改質器４を改質反応が可能なように加熱するようにしてある。ちなみに、前記燃焼用空気ポンプ６は、前記ケーシング２に形成した吸気口２ｇを通じて外気を吸引して、その吸引外気を燃焼用空気として前記燃焼用空気路１９を通じて前記改質器バーナ４ｂに圧送するように設けてある。
前記改質器バーナ４ｂの燃焼排ガスは、燃焼排ガス路２０を通じて装置外部に排出するようにしてある。
前記水蒸気生成器１３は、前記原料水として水道水を水道圧にて供給し、且つ、前記燃焼排ガス路２０を通流する燃焼排ガスを通過させるように構成して、その水蒸気生成器１３にて、前記原料水を前記燃焼排ガスを熱源として蒸発させて水蒸気を生成するように構成してある。
【００２０】
前記反応用空気ポンプ５は、ケーシング２外に延設した吸気路２１を通じて建物の外部の空気（外気）を吸込んで、その吸込み空気を反応用空気供給路２２を通じて前記燃料電池発電部１に圧送するように設けてあり、又、前記セルスタックを構成する各セルの前記酸素極から排出された酸素極側排ガスは、酸素極側排ガス路２３を通じて装置外部に排出するようにしてある。
前記加湿器７は周知であるので、詳細な説明及び図示を省略して簡単に説明すると、前記加湿器７は、前記酸素極側排ガス路２３を通流する酸素極側排ガスから保有熱並びに水蒸気を回収して、前記反応用空気供給路２２を通流する空気を回収熱により予熱し並びに回収水蒸気により加湿するように構成してある。
【００２１】
前記冷却部Ｃについて説明を加える。
図１及び図２に示すように、前記吸気路２１は、空気吸込み側の端部は地面Ｇ上に位置させた状態で、途中の冷却用流路部分２１ｃを地中に埋没させる状態に設けてある。そして、空気吸込み側の端部から吸込んだ空気を、地中に埋没する冷却用流路部分２１ｃを通流する間に、外気温度よりも温度が低い地中を冷却源として冷却するように構成してあり、前記冷却部Ｃは、前記吸気路２１における前記地中に埋設した冷却用流路部分２１ｃを備えて構成してある。つまり、前記冷却部Ｃは、地中を冷却源として空気を冷却するように構成してある。
【００２２】
そして、地中を冷却源として空気を冷却するように前記冷却部Ｃを構成することにより、エネルギーを消費することなく空気を冷却することが可能になる。尚、前記吸気路２１の一部を地中に埋設することにより、前記吸気路２１が長くなって圧損が大きくなり、同体積の空気を圧送するための前記反応用空気ポンプ５の消費エネルギーが増大する場合でも、その増大量はわずかであるので、エネルギーの消費量を可及的に少なくしながら、空気を冷却するようにすることが可能になる。
【００２３】
更に、図２に示すように、前記吸気路２１における前記冷却用流路部分２１ｃよりも前記反応用空気ポンプ５側の部分には、前記ケーシング２の吸気口２ｇを通じて外気を吸引するように設けた非冷却用吸気路２４を連通接続し、前記吸気路２１における前記非冷却用吸気路２４の接続箇所よりも上流側に、冷却側開閉弁２５を設け、前記非冷却用吸気路２４には非冷却側開閉弁２６を設けてある。
そして、前記冷却側開閉弁２５を開弁し且つ前記非冷却側開閉弁２６を閉弁すると、装置外部の空気を前記冷却用流路部分２１ｃを通過させて、その冷却用流路部分２１ｃにて地中を冷却源として冷却して前記燃料電池発電部１に供給する通流経路、即ち、装置外部の空気を前記冷却部Ｃにより冷却して前記燃料電池発電部１に供給する冷却通流経路に切り換わり、前記冷却側開閉弁２５を閉弁し且つ前記非冷却側開閉弁２６を開弁すると、装置外部の空気を前記冷却用流路部分２１ｃを通過させずに前記非冷却用吸気路２４を通過させて前記燃料電池発電部１に供給する通流経路、即ち、装置外部の空気を前記冷却部Ｃにより冷却せずに前記燃料電池発電部１に供給する非冷却通流経路に切り換わることになる。つまり、前記却側開閉弁２５及び前記非冷却側開閉弁２６により、前記燃料電池発電部１に供給する空気の通流経路（以下、反応用空気通流経路と称する場合がある）を前記冷却通流経路と前記非冷却通流経路とに切り換え自在な空気供給状態切換手段を構成してある。
【００２４】
更に、吸気路２１の空気吸込み側の端部付近と同温度の場所の外気温度、換言すれば、前記反応用空気ポンプ５にて取り込む取り込み対象空気の温度を検出する外気温センサＴａと、前記冷却用流路部分２１ｃ付近の地中温度を検出する地中温センサＴｇを設けてある。
【００２５】
前記制御部９について説明を加える。
前記制御部９は、前記燃料電池発電部１からの出力電流を計測する電流計測器２７にて検出される出力電流に基づいて、前記燃料電池発電部１への前記燃料ガスの供給量、前記燃料電池発電部１への前記空気の供給量及び前記改質器バーナ４ｂへの燃焼用空気の供給量の夫々を調節するガス供給量調節制御を実行し、更に、そのガス供給量調節制御の実行中は、前記外気温センサＴａ及び前記地中温センサＴｇ夫々の検出温度に基づいて、前記反応用空気通流経路を前記冷却通流経路と前記非冷却通流経路とに切り換える反応用空気供給経路切換制御を実行する。
【００２６】
前記ガス供給量調節制御では、前記制御部９は、燃料利用率を設定燃料利用率に維持する状態で、前記出力電流に応じて前記燃料ガスの供給量を調節すべく、前記原燃料供給量調節弁１７を制御して原燃料ガスの供給量を調節し、且つ、酸素利用率を設定酸素利用率に維持する状態で、前記出力電流に応じて前記空気の供給量を調節すべく反応用空気ポンプ５を制御し、且つ、改質器バーナ４ｂの空気比を設定空気比に維持する状態で、前記出力電流に応じて前記燃焼用空気の供給量を調節すべく燃焼用空気ポンプ６を制御する。
ちなみに、前記設定酸素利用率は、酸素利用率設定用温度の空気を対象にして設定してあるので、酸素利用率を前記設定酸素利用率に維持する状態で、前記出力電流に応じて前記空気の供給量を調節すべく反応用空気ポンプ５を制御すると、前記出力電流が同一の条件では、前記反応用空気ポンプ５にて圧送する空気の温度が低いほど空気の密度が高くなって、前記燃料電池発電部１に供給される空気の質量が多くなるので、実際の酸素利用率が小さくなる。
【００２７】
前記燃料利用率を設定燃料利用率に維持する状態で、前記出力電流に応じて前記燃料ガスの供給量を調節することから、前記改質用バーナ４ｂに供給される燃料極側排ガス中の水素ガス量は、前記出力電流に応じたものになっているので、前記出力電流に応じて、空気比を前記設定空気比に維持するように、燃焼用空気の供給量を調節することになる。
【００２８】
前記反応用空気供給経路切換制御では、前記制御部９は、前記外気温センサＴａ及び前記地中温センサＴｇ夫々の検出温度に基づいて、前記外気温度が前記地中温度よりも高いときは、前記冷却側開閉弁２５を開弁し且つ前記非冷却側開閉弁２６を閉弁して、前記反応用空気通流経路を前記冷却通流経路に切り換え、前記外気温度が前記地中温度以下のときは、前記冷却側開閉弁２５を閉弁し且つ前記非冷却側開閉弁２６を開弁して、前記反応用空気通流経路を前記非冷却通流経路に切り換える。
従って、前記外気温度が前記地中温度よりも高いときは、外気が前記冷却用通流部分２１ｃを通流して、地中を冷却源として冷却されて密度が高められた後、前記反応用空気路２２を通じて前記燃料電池発電部１に供給され、前記外気温度が前記地中温度以下のときは、外気が前記冷却用通流部分２１ｃを通流せずに前記非冷却用吸気路２４を通流して、前記反応用空気路２２を通じて前記燃料電池発電部１に供給されることになる。
【００２９】
以下、本発明の第２及び第３の各実施形態を説明するが、各実施形態においては、主として前記冷却部Ｃの構成が異なる以外は前記第１実施形態と同様に構成してあるので、第１実施形態と同じ構成要素や同じ作用を有する構成要素については、重複説明を避けるために、同じ符号を付すことにより説明を省略し、主として前記冷却部Ｃについて説明する。
【００３０】
〔第２実施形態〕
以下、図３及び図４に基づいて、本発明の第２実施形態を説明する。
この第２実施形態においては、前記冷却部Ｃは、建物Ｈにおけるその外部よりも温度の低い低温域Ａを冷却源として空気を冷却するように構成し、前記低温域Ａとして、前記建物Ｈの床下Ｈｕを適用するように構成してある。
【００３１】
説明を加えると、図３及び図４に示すように、前記吸気路２１は、空気吸込み側の端部は前記建物Ｈの外部に位置させた状態で、途中の冷却用流路部分２１ｃを前記建物Ｈの床下Ｈｕを通過させる状態に設けてある。そして、空気吸込み側の端部から吸込んだ空気を、前記建物Ｈの床下Ｈｕに設置された冷却用流路部分２１ｃを通流する間に、外気温度よりも雰囲気温度が低い床下Ｈｕを冷却源として冷却するように構成してあり、前記冷却部Ｃは、前記吸気路２１における前記床下Ｈｕに設置した冷却用流路部分２１ｃを備えて構成し、前記冷却部Ｃは、建物Ｈの床下Ｈｕを冷却源として空気を冷却するように構成してある。
そして、建物Ｈの床下Ｈｕを冷却源として空気を冷却するように前記冷却部Ｃを構成することにより、エネルギーを消費することなく空気を冷却することが可能になる。尚、前記吸気路２１を建物Ｈの床下Ｈｕを通過させるように設けることにより、前記吸気路２１が長くなって圧損が大きくなり、同体積の空気を圧送するための前記反応用空気ポンプ５の消費エネルギーが増大する場合でも、その増大量はわずかであるので、エネルギーの消費量を可及的に少なくしながら、空気を冷却するようにすることが可能になる。
【００３２】
更に、図４に示すように、第１実施形態と同様に、前記吸気路２１における前記冷却用流路部分２１ｃよりも前記反応用空気ポンプ５側の部分には、非冷却用吸気路２４を連通接続し、前記吸気路２１における前記非冷却用吸気路２４の接続箇所よりも上流側に、冷却側開閉弁２５を設け、前記非冷却用吸気路２４には非冷却側開閉弁２６を設けてある。
そして、第１実施形態と同様に、前記却側開閉弁２５及び前記非冷却側開閉弁２６により、前記反応用空気通流経路を前記冷却通流経路と前記非冷却通流経路とに切り換え自在な空気供給状態切換手段を構成してある。
【００３３】
更に、第１実施形態と同様の外気温センサＴａを設け、又、第１実施形態における地中温センサＴｇの代わりに、前記冷却用流路部分２１ｃ付近の床下温度を検出する床下温センサＴｕを設けてある。
【００３４】
前記制御部９は、第１実施形態と同様に、前記電流計測器２７にて検出される出力電流に基づいて、前記燃料電池発電部１への前記燃料ガスの供給量、前記燃料電池発電部１への前記空気の供給量及び前記改質器バーナ４ｂへの燃焼用空気の供給量の夫々を調節するガス供給量調節制御を実行する。
又、前記制御部９は、そのガス供給量調節制御の実行中は、前記外気温センサＴａ及び前記床下温センサＴｕ夫々の検出温度に基づいて、前記反応用空気通流経路を前記冷却通流経路と前記非冷却通流経路とに切り換える反応用空気供給経路切換制御を実行する。
その反応用空気供給経路切換制御では、前記制御部９は、前記外気温センサＴａ及び前記床下温センサＴｕ夫々の検出温度に基づいて、前記外気温度が前記床下温度よりも高いときは、前記冷却側開閉弁２５を開弁し且つ前記非冷却側開閉弁２６を閉弁して、前記反応用空気通流経路を前記冷却通流経路に切り換え、前記外気温度が前記床下温度以下のときは、前記冷却側開閉弁２５を閉弁し且つ前記非冷却側開閉弁２６を開弁して、前記反応用空気通流経路を前記非冷却通流経路に切り換える。
従って、前記外気温度が前記床下温度よりも高いときは、外気が前記冷却用通流部分２１ｃを通流して、床下Ｈｕを冷却源として冷却されて密度が高められた後、前記反応用空気路２２を通じて前記燃料電池発電部１に供給され、前記外気温度が前記床下温度以下のときは、外気が前記冷却用通流部分２１ｃを通流せずに前記非冷却用吸気路２４を通流して、前記反応用空気路２２を通じて前記燃料電池発電部１に供給されることになる。
【００３５】
〔第３実施形態〕
以下、図５に基づいて、本発明の第３実施形態を説明する。
この第２実施形態においては、前記冷却部Ｃは、前記水蒸気生成器１３に供給される原料水を冷却源として空気を冷却するように構成してある。
【００３６】
説明を加えると、前記吸気路２１は、前記ケーシング２の吸気口２ｇを通じて外気を吸引するように設け、その吸気路２１には、その吸気路２１を通流する空気と前記原料水供給路１２を通流する原料水とを熱交換させて、前記空気を冷却する空気冷却用熱交換器２８を前記ケーシング２内に位置させて設けてある。つまり、前記冷却部Ｃは、前記空気冷却用熱交換器２８を備えて構成して、前述したように、前記水蒸気生成器１３に供給される原料水を冷却源として空気を冷却するように構成し、その冷却部Ｃを前記ケーシング２内に設けてある。
前記空気冷却用熱交換器２８は、フィンチューブ型の熱交換器にて構成してある。
そして、そのフィンチューブ型の熱交換器にて構成される前記空気冷却用熱交換器２８を原料水が水道圧にて通流することから、ポンプ等を設けることなく、原料水を前記空気冷却用熱交換器２８を経由させて前記水蒸気生成部１３に供給するようにすることができるので、前記冷却部Ｃを前記空気冷却用熱交換器２８にて構成することにより、エネルギーを消費することなく空気を冷却するように構成することが可能になる。
【００３７】
更に、前記吸気路２１には、前記空気冷却用熱交換器２８を迂回して空気を通流させる迂回路２９を設け、又、前記吸気路２１における前記迂回路２９にて迂回される部分には、主流路開閉弁３０を設け、前記迂回路２９には迂回路開閉弁３１を設けてある。
そして、前記主流路開閉弁３０を開弁し且つ前記迂回路開閉弁３１を閉弁すると、装置外部の空気を前記空気冷却用熱交換器２８を通過させて、その空気冷却用熱交換器２８にて原料水を冷却源として冷却して前記燃料電池発電部１に供給する通流経路、即ち、装置外部の空気を前記冷却部Ｃにより冷却して前記燃料電池発電部１に供給する冷却通流経路に切り換わり、前記主流路開閉弁３０を閉弁し且つ前記迂回路開閉弁３１を開弁すると、装置外部の空気を前記空気冷却用熱交換器２８を通過させずに前記迂回路２９を通過させて前記燃料電池発電部１に供給する通流経路、即ち、装置外部の空気を前記冷却部Ｃにより冷却せずに前記燃料電池発電部１に供給する非冷却通流経路に切り換わることになる。つまり、前記主流路開閉弁３０及び前記迂回路開閉弁３１により、前記反応用空気通流経路を前記冷却通流経路と前記非冷却通流経路とに切り換え自在な空気供給状態切換手段を構成してある。
【００３８】
更に、第１実施形態と同様の外気温センサＴａを設け、又、第１実施形態における地中温センサＴｇの代わりに、前記原料水供給路１２における前記空気冷却用熱交換器２８よりも上流側部分を通流する原料水の温度を検出する原料水温センサＴｗを設けてある。
【００３９】
前記制御部９は、第１実施形態と同様に、前記電流計測器２７にて検出される出力電流に基づいて、前記燃料電池発電部１への前記燃料ガスの供給量、前記燃料電池発電部１への前記空気の供給量及び前記改質器バーナ４ｂへの燃焼用空気の供給量の夫々を調節するガス供給量調節制御を実行する。
又、前記制御部９は、そのガス供給量調節制御の実行中は、前記外気温センサＴａ及び前記原料水温センサＴｗ夫々の検出温度に基づいて、前記反応用空気通流経路を前記冷却通流経路と前記非冷却通流経路とに切り換える反応用空気供給経路切換制御を実行する。
その反応用空気供給経路切換制御では、前記制御部９は、前記外気温センサＴａ及び前記原料水温センサＴｗ夫々の検出温度に基づいて、前記外気温度が前記原料水温度よりも高いときは、前記主流路開閉弁３０を開弁し且つ前記迂回路開閉弁３１を閉弁して、前記反応用空気通流経路を前記冷却通流経路に切り換え、前記外気温度が前記原料水温度以下のときは、前記主流路開閉弁３０を閉弁し且つ前記迂回路開閉弁３１を開弁して、前記反応用空気通流経路を前記非冷却通流経路に切り換える。
従って、前記外気温度が前記原料水温度よりも高いときは、外気が前記空気冷却用熱交換器２８を通流して、原料水を冷却源として冷却されて密度が高められた後、前記反応用空気路２２を通じて前記燃料電池発電部１に供給され、前記外気温度が前記原料水温度以下のときは、外気が前記空気冷却用熱交換器２８を通流せずに前記迂回路２９を通流して、前記反応用空気路２２を通じて前記燃料電池発電部１に供給されることになる。
【００４０】
〔第４実施形態〕
以下、図６及び図７に基づいて、本発明の第４実施形態を説明する。
この第４実施形態においては、上記の第１実施形態の如き冷却部Ｃを設けずに、前記空気供給手段としての反応用空気ポンプ５を、装置外周部の雰囲気よりも温度が低い低温域Ａの空気を前記燃料電池発電部１に供給するように構成してあり、それ以外は上記の第１実施形態と同様に構成してある。
【００４１】
説明を加えると、図６及び図７に示すように、前記低温域Ａとして、建物Ｈの床下Ｈｕを適用するように構成して、前記吸気路２１を、建物Ｈの床下Ｈｕに吸引作用するように、床下Ｈｕを外部と通気させる床下通気口Ｈｗを通じて床下Ｈｕに挿入するように設けて、装置外周部の雰囲気よりも温度が低くて密度が高い建物Ｈの床下Ｈｕの空気を反応用空気ポンプ５にて燃料電池発電部１に供給するように構成してある
【００４２】
又、図７に示すように、前記吸気路２１には、第１実施形態と同様の非冷却用吸気路２４を連通接続し、又、第１実施形態と同様に、前記吸気路２１における前記非冷却用吸気路２４の接続箇所よりも上流側に、冷却側開閉弁２５を設け、前記非冷却用吸気路２４には非冷却側開閉弁２６を設けてある。
そして、前記冷却側開閉弁２５を開弁し且つ前記非冷却側開閉弁２６を閉弁すると、前記低温域Ａである建物Ｈの床下Ｈｕの空気を前記燃料電池発電部１に供給する低温域空気供給経路に切り換わり、前記冷却側開閉弁２５を閉弁し且つ前記非冷却側開閉弁２６を開弁すると、装置外周部の外気をそのまま前記燃料電池発電部１に供給する外気直接供給経路に切り換わることになる。
更に、第２実施形態と同様の外気温センサＴａ及び床下温センサＴｕを設けてある。
【００４３】
前記制御部９は、第１実施形態と同様に、前記電流計測器２７にて検出される出力電流に基づいて、前記燃料電池発電部１への前記燃料ガスの供給量、前記燃料電池発電部１への前記空気の供給量及び前記改質器バーナ４ｂへの燃焼用空気の供給量の夫々を調節するガス供給量調節制御を実行する。
又、前記制御部９は、そのガス供給量調節制御の実行中は、前記外気温センサＴａ及び前記床下温センサＴｕ夫々の検出温度に基づいて、前記反応用空気通流経路を前記低温域空気供給経路と前記外気直接供給経路とに切り換える反応用空気供給経路切換制御を実行する。
その反応用空気供給経路切換制御では、前記制御部９は、前記外気温センサＴａ及び前記床下温センサＴｕ夫々の検出温度に基づいて、前記外気温度が前記床下温度がよりも高いときは、前記冷却側開閉弁２５を開弁し且つ前記非冷却側開閉弁２６を閉弁して、前記反応用空気通流経路を前記低温域空気供給経路に切り換え、前記外気温度が前記床下温度以下のときは、前記冷却側開閉弁２５を閉弁し且つ前記非冷却側開閉弁２６を開弁して、前記反応用空気通流経路を前記外気直接供給経路に切り換える。
従って、前記外気温度が前記床下温度がよりも高いときは、外気よりも低温で密度の高い床下Ｈｕの空気が前記反応用空気路２２を通じて前記燃料電池発電部１に供給され、前記外気温度が前記床下温度以下のときは、外気が直接前記反応用空気路２２を通じて前記燃料電池発電部１に供給されることになる。
【００４４】
次に、上記の第１ないし第４の各実施形態のように、外気を冷却して密度を高くして前記燃料電池発電部１に反応用の空気として供給することにより、又、第５実施形態のように、装置外周部の雰囲気よりも温度が低い前記低温域Ａの空気を前記燃料電池発電部１に反応用の空気として供給することにより、発電性能の向上が可能なことを検証した結果を説明する。
【００４５】
先ず、図８に基づいて、検証試験に用いる検証用の燃料電池発電装置について説明する。
検証用の燃料電池発電装置は、上記の第１実施形態と同様に、燃料電池発電部１に燃料ガス供給路１６を通じて燃料ガスを供給し、反応用空気路２２を通じて空気を供給するように構成し、又、上記の第１実施形態と同様に、反応用空気ポンプ５により前記反応用空気路２２を通じて外気を反応用の空気として供給するように構成してあるが、前記燃料ガスとしては、上記の第１実施形態における燃料ガス生成部Ｒにて生成される改質ガスに代えて、水素ガスボンベ３２から純水素ガスを供給するように構成してあり、前記燃料ガス供給路１６には、前記燃料電池発電部１へ供給する燃料ガスの供給量を調節する燃料ガス供給量調節弁３３と、前記燃料電池発電部１へ供給する燃料ガスを加湿する加湿器３４とを設け、前記反応用空気路２２には、前記燃料電池発電部１に供給する空気を加湿する加湿器３５を設けてある。
更に、検証用の燃料電池発電装置には、前記燃料電池発電部１を構成する前記セルスタックの温度、即ち、前記セルの温度を調節する温度調節用ヒータ３６、前記セルスタックの温度、即ち、前記セルの温度を検出するセル温度センサ３７、及び、前記燃料電池発電部１の出力を調節する電子負荷装置３８を設けてある。
【００４６】
そして、前記セルの電流密度が設定電流密度になるように前記電子負荷装置３８を調節し、前記セル温度センサ３７の検出温度に基づいて前記温度調節用ヒータ３６にて前記セルの温度を設定温度に調節し、前記燃料ガス供給量調節弁３３にて燃料利用率を前記設定燃料利用率に維持するように前記燃料ガスの供給量を調節する状態で、前記反応用空気ポンプ５にて前記燃料電池発電部への空気の供給量を変更調節して、単セル電圧を検証することにより、発電性能を評価することになる。ちなみに、前記単セル電圧は、前記セルスタックの出力電圧をそのセルスタックを構成する全セル数で除した電圧である。
【００４７】
ちなみに、前記反応用空気ポンプ５にて前記燃料電池発電部への空気の供給量を変更調節するに当たっては、前記反応用空気ポンプ５にて一定温度の外気を吸引することになる。
つまり、前記反応用空気ポンプ５にて前記燃料電池発電部への空気の供給量を変更調節することにより、酸素利用率を変更調節することになり、換言すれば、セル内における供給空気の平均酸素分圧を変更調節することになる。
【００４８】
次に、検証試験の条件について説明する。
前記設定電流密度、前記設定燃料利用率、酸素利用率の変更調節範囲、セルの設定温度、燃料ガスの露点、及び、空気の露点は下記の通りである。
【００４９】
設定電流密度  ：３０００Ａ／ｍ２
燃料利用率    ：６０％
酸素利用率    ：３５〜４５％
セルの設定温度：７０°Ｃ
燃料ガスの露点：６８°Ｃ
空気の露点    ：６８°Ｃ
【００５０】
上述のように検証した結果として、図９に単セル電圧の酸素利用率依存性を示し、図１０に単セル電圧の酸素分圧依存性を示す。
図９により、酸素利用率が小さくなるほど、単セル電圧が高くなって発電性能が向上することが分かり、図１０により、酸素分圧が大きくなるほど、単セル電圧が高くなって発電性能が向上することが分かる。
【００５１】
つまり、上記の第１ないし第４各実施形態のように、酸素利用率を、前記酸素利用率設定用温度の空気を対象にして設定した設定酸素利用率に維持する状態で、前記出力電流に応じて前記空気の供給量を調節すべく前記反応用空気ポンプ５を制御する場合、前記反応用空気ポンプ５にて吸引する空気の温度が前記酸素利用率設定用温度よりも低くなると、空気の密度が高くなって、前記燃料電池発電部１に供給される空気の質量が多くなるので、実際の酸素利用率が小さくなり、又、酸素分圧が高くなる。
従って、上記の第１ないし第４の各実施形態のように、外気を冷却して密度を高くして前記燃料電池発電部１に反応用の空気として供給することにより、又、第５実施形態のように、装置外周部の雰囲気よりも温度が低い前記低温域Ａの空気を前記燃料電池発電部１に反応用の空気として供給することにより、発電効率を向上することができることが分かる。
ちなみに、夏期では、地中、床下Ｈｕ又は水道水の温度は、外気に比べて１０°Ｃ程度低くなるので、本発明によれば、１０°Ｃ程度温度が低い空気を前記燃料電池発電部１に供給することが可能となる。
そして、空気の温度が１０°Ｃ低くなると、密度が数％（３〜４％程度）高くなって、前記燃料電池発電部１に供給される空気の質量が増加し、その増加により、酸素利用率が２％程度低くなる。
図９により、酸素利用率が１．５％程度低くなると、単セル電圧が６〜７ｍＶ程度高くなることが分かり、単セル電圧が６〜７ｍＶ程度高くなると発電効率が１％程度高くなる。
【００５２】
〔別実施形態〕
次に別実施形態を説明する。
（イ）  図１１に第１実施形態の構成に適用した場合について例示するが、上記の第１ないし第４の各実施形態において、前記酸素極排ガス路２３を通流する酸素極側排ガスの酸素濃度を検出する酸素濃度センサ３９を設けて、制御部９の制御構成として、酸素利用率を設定酸素利用率に維持する状態で前記出力電流に応じて前記空気の供給量を調節すべく前記反応用空気ポンプ５を制御する構成に代えて、前記酸素濃度センサ３９の検出酸素濃度が設定酸素濃度になるように前記反応用空気ポンプ５を制御する構成としても良い。
この場合、前記反応用空気通流経路が前記冷却通流経路や前記低温域空気供給経路に切り換えられると、前記燃料電池発電部１に供給される空気の質量が増加して、酸素極側排ガス中の残存酸素量が多くなり、前記酸素濃度センサ３９の検出酸素濃度が高くなる傾向となるので、前記酸素濃度センサ３９の検出酸素濃度を前記設定酸素濃度に維持すべく回転速度が小さくなるように前記反応用空気ポンプ５が制御されることになる。そして、前記反応用空気ポンプ５の回転速度が小さくなると消費電力が少なくなるので、発電効率が向上することになる。
【００５３】
（ロ）  前記反応用空気通流経路を前記冷却通流経路と前記非冷却通流経路とに切り換えるための前記冷却側開閉弁２５及び前記非冷却側開閉弁２６の操作、あるいは、前記主流路開閉弁３０及び前記迂回路開閉弁３１の操作、並びに、前記反応用空気通流経路を前記低温域空気供給経路と前記外気直接供給経路に切り換えるための前記冷却側開閉弁２５及び前記非冷却側開閉弁２６の操作は、上記の実施形態では前記制御部９を用いて自動的に行う場合について例示したが、手動操作にて行うように構成しても良い。
【００５４】
（ハ）  上記の第２実施形態において、建物Ｈにおけるその外部よりも温度の低い低温域Ａの具体例としては、床下Ｈｕに限定されるものではなく、例えば天井裏でも良い。又、冷房されている冷房対象域でも良いが、この場合は、前記冷房対象域を冷房するための消費エネルギーが増加することになるので、発電効率を向上する上では不利となる。
又、上記の第４実施形態において、装置外周部の雰囲気よりも温度が低い低温域Ａの具体例としては、建物Ｈの床下Ｈｕに限定されるものではなく、建物Ｈの天井裏や冷房されている冷房対象域を適用することが可能であり、又、地下道等の直射日光の当たらない種々の場所を適用することが可能である。
【００５５】
（ニ）  上記の第３実施形態において、空気冷却用熱交換器２８の具体構成は、フィンチューブ型の熱交換器に限定されるものではなく、例えば、原料水を散水してその散水域に空気を通流させる散水式等に構成することができる。
尚、前記空気冷却用熱交換器２８を散水式に構成する場合は、散水された原料水をポンプにて圧送することになり、そのポンプの消費エネルギーはわずかであるものの発電効率を向上する上では不利となる。
【００５６】
（ホ）  上記の第３実施形態において、前記冷却部Ｃの冷却源とする水としては、前記水蒸気生成器１３に供給される原料水に限定されるものではなく、地下水、井戸水等、温度が装置外部の空気の温度よりも低い種々の水を用いることが可能である。
【００５７】
（ヘ）  前記冷却部Ｃとして、上記の実施形態においては、気象条件により前記空気供給手段の取り込み対象空気よりも温度が低くなる場所及び水等を冷却源とするように構成する場合について例示したが、冷凍機、あるいは、ペルチエ効果を用いた冷却装置等を備えて構成しても良い。
【００５８】
（ト）  本発明は、上記の各実施形態おいて例示した固体高分子型以外に、リン酸型や固体電解質型等の種々の型式の燃料電池発電装置に適用することが可能である。
【００５９】
（チ）  前記燃料ガス生成部Ｒにて燃料ガスを生成するための炭化水素系の原燃料としては、上記の各実施形態において例示した都市ガスに限定されるものではなく、例えば、プロパンガス、メタノール等のアルコール類等、種々のものを用いることが可能である。
【００６０】
（リ）  本発明は、前記燃料電池発電部１に循環供給される冷却水や前記改質器バーナ４ｂから排出される燃焼排ガス等からの排熱回収により、給湯や暖房が可能なように構成した熱電併給式の燃料電池発電装置にも適用することが可能である。
【図面の簡単な説明】
【図１】第１実施形態に係る燃料電池発電装置の概略図
【図２】第１実施形態に係る燃料電池発電装置のブロック図
【図３】第２実施形態に係る燃料電池発電装置の概略図
【図４】第２実施形態に係る燃料電池発電装置のブロック図
【図５】第３実施形態に係る燃料電池発電装置のブロック図
【図６】第４実施形態に係る燃料電池発電装置の概略図
【図７】第４実施形態に係る燃料電池発電装置のブロック図
【図８】検証用の燃料電池発電装置のブロック図
【図９】単セル電圧の酸素利用率依存性を示す図
【図１０】単セル電圧の酸素分圧依存性を示す図
【図１１】別実施形態に係る燃料電池発電装置のブロック図
【符号の説明】
１          燃料電池発電部
４          改質器
５          空気供給手段
１３        水蒸気生成器
２５，２６  空気供給状態切換手段
３０，３１  空気供給状態切換手段
Ａ          低温域
Ｃ          冷却部
Ｈ          建物
Ｈｕ        床下
【図１】
2005025987.tif 000003
【図２】
2005025987.tif 000004
【図３】
2005025987.tif 000005
【図４】
2005025987.tif 000006
【図５】
2005025987.tif 000007
【図６】
2005025987.tif 000008
【図７】
2005025987.tif 000009
【図８】
2005025987.tif 000010
【図９】
2005025987.tif 000011
【図１０】
2005025987.tif 000012
【図１１】
2005025987.tif 000013